(57)【要約】【課題】車両の軌道修正操舵や障害物回避操舵等、ドライバが比較的急峻な操舵を行ったとき、ドライバの入力に対する車両挙動の応答性を緩やかにして、速い操舵入力でも車両挙動を制御しやすくすることができる車両用操舵制御装置を提供すること。【解決手段】ステアリングホイール１の操舵角θと操向輪５，５の転舵角δとの比であるギヤ比θ／δを設定するギヤ比設定手段と、少なくとも設定されたギヤ比θ／δに基づいて算出された目標転舵角δ＊となるように転舵アクチュエータ８を駆動する転舵制御手段と、を備えた車両用操舵制御装置において、前記ギヤ比設定手段は、ドライバが比較的急峻な操舵を行っていると判定された場合、前記ギヤ比θ／δを、ステアリングホイール１への操舵入力に対して、操向輪５，５の転舵出力が小さくなるように変更する手段とした。【選択図】        図２
2004306727.tif 000002
【特許請求の範囲】
【請求項１】
操向輪の転舵装置に機械的に連結されていないステアリングホイールと、
該ステアリングホイールに操舵反力を与える操舵反力アクチュエータと、
前記転舵装置にその出力を加える転舵アクチュエータと、
前記ステアリングホイールの操舵角と前記操向輪の転舵角との比であるギヤ比を設定するギヤ比設定手段と、
少なくとも設定されたギヤ比に基づいて算出された目標転舵角となるように前記転舵アクチュエータを駆動する転舵制御手段と、
を備えた車両用操舵制御装置において、
前記ギヤ比設定手段は、ドライバが比較的急峻な操舵を行っていると判定された場合、前記ギヤ比を、ステアリングホイールへの操舵入力に対して、操向輪の転舵出力が小さくなるように変更することを特徴とする車両用操舵制御装置。
【請求項２】
請求項１に記載の車両用操舵制御装置において、
前記ギヤ比設定手段は、車両の走行状態や操舵角に応じて最適な基準ギヤ比を算出する基準ギヤ比算出部と、基準ギヤ比よりも操舵入力に対し転舵出力が小さくなる低ゲインギヤ比を算出または保持する低ゲインギヤ比算出・保持部と、ドライバが車両の軌道修正操舵や障害物回避操舵を行っているか否かを判定するドライバ急操舵判定部と、該ドライバ急操舵判定部によりドライバが車両の軌道修正操舵や障害物回避操舵を行っていると判定された場合、設定ギヤ比を基準ギヤ比から低ゲインギヤ比へ変更する設定ギヤ比変更部と、を有することを特徴とする車両用操舵制御装置。
【請求項３】
請求項２に記載の車両用操舵制御装置において、
前記ステアリングホイールの操舵角を計測する操舵角センサを設け、
前記ドライバ急操舵判定部は、前記ステアリングホイールの操舵角が周期的な動作を表し、その周期・振幅・継続時間が各々所定値以上で、かつ、車両が直進状態となる前記ステアリングホイールの中立位置を含むような場合には、ドライバが車両の軌道修正操舵を行っていると判定することを特徴とする車両用操舵制御装置。
【請求項４】
請求項２に記載の車両用操舵制御装置において、
前記ステアリングホイールの操舵角を計測する操舵角センサと、車速を計測する車速センサと、車両のヨーレートを計測するヨーレートセンサと、を設け、
前記ドライバ急操舵判定部は、車速と操舵角と車両の運動モデルを用いて推定される推定ヨーレートと、計測された実ヨーレートとの差が所定値以上となった場合には、ドライバが車両の軌道修正操舵を行っていると判定することを特徴とする車両用操舵制御装置。
【請求項５】
請求項２に記載の車両用操舵制御装置において、
計測された操舵角に基づいて操舵角加速度を算出する操舵角加速度算出手段を設け、
前記ドライバ急操舵判定部は、操舵角加速度が所定値以上となった場合、ドライバが障害物回避操舵を行っていると判定することを特徴とする車両用操舵制御装置。
【請求項６】
請求項２に記載の車両用操舵制御装置において、
車速と操舵角と車両の運動モデルを用いて推定ヨー角加速度を算出する推定ヨー角加速度算出手段を設け、
前記ドライバ急操舵判定部は、推定ヨー角加速度が所定値以上となった場合、ドライバが障害物回避操舵を行っていると判定することを特徴とする車両用操舵制御装置。
【請求項７】
請求項２に記載の車両用操舵制御装置において、
ヨーレートセンサからのヨーレート計測値に基づいてヨー角加速度を算出するヨー角加速度算出手段を設け、
前記ドライバ急操舵判定部は、ヨー角加速度算出値が所定値以上となった場合、ドライバが障害物回避操舵を行っていると判定することを特徴とする車両用操舵制御装置。
【請求項８】
請求項１ないし請求項７のうち何れか１項に記載の車両用操舵制御装置において、
前記設定ギヤ比変更部は、前記ドライバ急操舵判定部によりドライバが比較的急峻な操舵を行っていると判定された場合、操舵角の中立位置ギヤ比に変更することを特徴とする車両用操舵制御装置。
【請求項９】
請求項１ないし請求項７のうち何れか１項に記載の車両用操舵制御装置において、
前記設定ギヤ比変更部は、前記ドライバ急操舵判定部によりドライバが比較的急峻な操舵を行っていると判定された場合、ドライバ急操舵判定時点から所定時間内の過去で、車速変化および操舵角変化が所定値以内となる状態において適用されていた低ゲインギヤ比に変更することを特徴とする車両用操舵制御装置。
【請求項１０】
請求項１ないし請求項９のうち何れか１項に記載の車両用操舵制御装置において、
前記設定ギヤ比変更部は、前記ドライバ急操舵判定部によりドライバが比較的急峻な操舵を行っていると判定と同時に設定ギヤ比を基準ギヤ比から低ゲインギヤ比に変更し、ドライバの比較的急峻な操舵が終了したとの判定と同時にギヤ比をその時点での走行状態に応じた基準ギヤ比に変更することを特徴とする車両用操舵制御装置。
【請求項１１】
請求項１ないし請求項１０のうち何れか１項に記載の車両用操舵制御装置において、
前記転舵制御手段は、前記ドライバ急操舵判定部によりドライバの比較的急峻な操舵が終了したとの判定した場合、ギヤ比を基準ギヤ比に変更した後、変更後の基準ギヤ比においてステアリングホイールの中立位置が操向輪の直進位置と合うように目標転舵角を徐々に修正することを特徴とする車両用操舵制御装置。
【請求項１２】
請求項１ないし請求項９のうち何れか１項に記載の車両用操舵制御装置において、
前記設定ギヤ比変更部は、前記ドライバ急操舵判定部によりドライバが比較的急峻な操舵を行っていると判定した時点で設定ギヤ比を基準ギヤ比から低ゲインギヤ比に変更し、ドライバの比較的急峻な操舵が終了したとの判定時点でギヤ比をドライバ急操舵判定時における基準ギヤ比に戻すことを特徴とする車両用操舵制御装置。
【請求項１３】
請求項１ないし請求項９のうち何れか１項に記載の車両用操舵制御装置において、
前記設定ギヤ比変更部は、前記ドライバ急操舵判定部によりドライバが比較的急峻な操舵を行っていると判定された場合、該判定がなされた後、最初に操舵角中立位置に到達した時点で設定ギヤ比を基準ギヤ比から低ゲインギヤ比に変更し、ドライバが比較的急峻な操舵を行っているとの判定が終了した場合、該終了判定がなされた後、最初に操舵角中立位置に到達した時点で設定ギヤ比を低ゲインギヤ比から基準ギヤ比に変更することを特徴とする車両用操舵制御装置。
【発明の詳細な説明】
【０００１】
【発明の属する技術分野】
本発明は、操向輪の転舵装置に機械的に連結されていないステアリングホイールを備えた、いわゆる、ステア・バイ・ワイヤ方式による車両用操舵制御装置の技術分野に属する。
【０００２】
【従来の技術】
従来の車両用操舵制御装置は、目標回転角θｓｉと出力角θｐとの制御偏差が大となった場合に、補正処理部７２による補正処理を開始する。この補正処理は、制御偏差がより小さくなるように目標回転角θｓｉを変更すると共に、変更した目標回転角θｓｉと入力角θｈとを基に、設定部７１で設定される伝達比を変更するようにしている（例えば、特許文献１参照）。
【０００３】
【特許文献１】
特開特開平１１−２０８４９９号公報（図５）。
【０００４】
【発明が解決しようとする課題】
しかしながら、従来の車両用操舵制御装置にあっては、目標回転角と出力角との制御偏差が大となった場合に、この制御偏差がより小さくなるように目標回転角を変更すると共に、変更した目標回転角と入力角とを基に伝達比を変更する、という構成になっていたため、伝達比のゲインが高い（ステアリングホイールの操舵角が小さくても操向輪の転舵角が大きく転舵する）状態でドライバが軌道修正操舵や障害物回避操舵など比較的急峻な操舵を行うと、アクチュエータがドライバの操作に追従できれば伝達比のゲインは高いままなので、車両挙動が不安定になるおそれがある、という問題があった。
【０００５】
本発明は、上記問題に着目してなされたもので、車両の軌道修正操舵や障害物回避操舵等、ドライバが比較的急峻な操舵を行ったとき、ドライバの入力に対する車両挙動の応答性を緩やかにして、速い操舵入力でも車両挙動を制御しやすくすることができる車両用操舵制御装置を提供することを目的とする。
【０００６】
【課題を解決するための手段】
上記目的を達成するため、本発明では、
ステアリングホイールの操舵角と操向輪の転舵角との比であるギヤ比を設定するギヤ比設定手段と、
少なくとも設定されたギヤ比に基づいて算出された目標転舵角となるように転舵アクチュエータを駆動する転舵制御手段と、
を備えた車両用操舵制御装置において、
前記ギヤ比設定手段は、ドライバが比較的急峻な操舵を行っていると判定された場合、前記ギヤ比を、ステアリングホイールへの操舵入力に対して、操向輪の転舵出力が小さくなるように変更することを特徴とする。
【０００７】
【発明の効果】
よって、本発明の車両用操舵制御装置にあっては、ギヤ比設定手段において、ドライバが比較的急峻な操舵を行っていると判定された場合、操舵角と転舵角との比であるギヤ比が、ステアリングホイールへの操舵入力に対して、操向輪の転舵出力が小さくなるように変更されるため、車両の軌道修正操舵や障害物回避操舵等、ドライバが比較的急峻な操舵を行ったとき、ドライバの入力に対する車両挙動の応答性を緩やかにして、速い操舵入力でも車両挙動を制御しやすくすることができる。
【０００８】
【発明の実施の形態】
以下、本発明の車両用操舵制御装置を実現する実施の形態を、図面に示す第１実施例〜第３実施例に基づいて説明する。
【０００９】
（第１実施例）
まず、構成を説明する。
図１は第１実施例の車両用操舵制御装置を示す全体システム図である。図１において、１はステアリングホイール、２は操舵反力アクチュエータ、３はトルクセンサ、４は操舵角センサ、５は操向輪、６は伝達部、７はステアリングギア（転舵装置）、８は転舵アクチュエータ、９は転舵角センサ、１０は舵角コントローラ（転舵制御手段）、１１は車速センサ、１２はヨーレートセンサである。
【００１０】
第１実施例装置の操作部は、車両の運転者の操作を伝えるステアリングホイール１と、ステアリングホイール１に操舵反力を発生させる操舵反力アクチュエータ２と、ステアリングホイール１と操舵反力アクチュエータ２の間で発生している操舵トルクＴｓを計測するトルクセンサ３と、ステアリングホイール１が操作された操舵角θを計測する操舵角センサ４と、により構成される。
【００１１】
第１実施例装置の転舵部は、車両を操向させるための操向輪５，５と、操向するための力を操向輪５，５に伝達するための伝達部６と、車両を操向するために車両横方向への力を伝達するステアリングギア７と、ステアリングギア７を操作して車両を操向するための力を発生させる転舵アクチュエータ８と、により構成される。
【００１２】
第１実施例装置の舵角制御系は、前記操舵トルクＴｓを計測するトルクセンサ３と、操舵角θを計測する操舵角センサ４と、操向輪５，５の転舵角δを計測する転舵角センサ９と、操向輪５，５に転舵角δを発生させるための制御量と操舵反力アクチュエータ２に操舵反力を発生させるための制御量を算出する舵角コントローラ１０と、車両の車速Ｖを計測する車速センサ１１と、車両のヨーレートψ’を計測するヨーレートセンサ１２と、により構成される。
【００１３】
図２は第１実施例装置の舵角制御系を示すブロック図で、舵角コントローラ１０内には、基準ギヤ比算出部１０ａと、低ゲインギヤ比算出・保持部１０ｂと、ドライバ急操舵判定部１０ｃと、設定ギヤ比変更部１０ｄと、操舵反力算出部１０ｅと、目標転舵角算出部１０ｆと、が設定されている。このうち、基準ギヤ比算出部１０ａと、低ゲインギヤ比算出・保持部１０ｂと、ドライバ急操舵判定部１０ｃと、設定ギヤ比変更部１０ｄと、によってギヤ比設定手段が構成される。
【００１４】
前記基準ギヤ比算出部１０ａは、車速Ｖ（車両の走行状態）や操舵角θに応じて最適な基準ギヤ比（θ／δ）を算出する（図４参照）。
【００１５】
前記低ゲインギヤ比算出・保持部１０ｂでは、基準ギヤ比（θ／δ）よりも操舵入力に対し転舵出力が小さくなる低ゲインギヤ比［θ／δ］を算出または保持する。例えば、過去の走行状況でドライバが体感的に慣れていると推定される基準ギヤ比（θ／δ）に基づいて低ゲインギヤ比［θ／δ］を算出し保持する。
【００１６】
前記ドライバ急操舵判定部１０ｃでは、操舵角θ、車速Ｖ、ヨーレートψ’を入力し、ドライバが車両の軌道修正操舵や障害物回避等の比較的急峻な操舵を行っているか否かを判定する。
【００１７】
前記設定ギヤ比変更部１０ｄでは、前記ドライバ急操舵判定部１０ｃによりドライバが車両の軌道修正操舵や障害物回避等の比較的急峻な操舵を行っていると判定された場合、設定ギヤ比θ／δを基準ギヤ比（θ／δ）から低ゲインギヤ比［θ／δ］へ変更する。
【００１８】
前記操舵反力算出部１０ｅでは、操舵角θ、操舵トルクＴｓ、車速Ｖ、設定ギヤ比θ／δに基づいて、目標操舵反力を算出し、この操舵反力を発生するための操舵反力アクチュエータ２への指令値を算出する。
【００１９】
前記目標転舵角算出部１０ｆでは、操舵角θ、操舵トルクＴｓ、車速Ｖ、設定ギヤ比θ／δに基づいて目標転舵角δ＊を算出し、操向輪５，５が目標転舵角δ＊になるように転舵アクチュエータ８への指令値を算出する。
【００２０】
以上の構成により、ドライバ入力による操舵角θに対する転舵角δの特性（ギヤ比特性）を任意に変更することができる、いわゆる、ステア・バイ・ワイヤの機能を実現することができる。
【００２１】
次に、作用を説明する。
【００２２】
［ギヤ比設定及び転舵制御処理］
図３は第１実施例装置の舵角コントローラ１０にて実行されるギヤ比設定及び転舵制御処理の流れを示すフローチャートで、以下、各ステップについて説明する。
【００２３】
ステップＳ３００では、車両のイグニッションスイッチなどにより本システムが起動され、ステップＳ３０１へ移行する。
【００２４】
ステップＳ３０１では、車速センサ１１、操舵角センサ４およびヨーレートセンサ１２からの信号を入力し、ステップＳ３０２へ移行する。
【００２５】
ステップＳ３０２では、ステップＳ３０１で得られた車速Ｖおよび操舵角θに基づいて、ステアリングホイール１の操舵角θと操向輪５，５の転舵角δとの基準ギヤ比（θ／δ）を算出し、ステップＳ３０３へ移行する。
これは、例えば、車速Ｖが設定車速Ｖ０（例えば、Ｖ０＝約２０ｋｍ／ｈ）以上で、かつ、操舵角θが設定舵角θ０以下の走行域では、操舵角θが変化してもギヤ比が一定であるため、図４（ａ）に示すように、車速Ｖが上がるにつれて基準ギヤ比（θ／δ）が大きくなり、同じ操舵角θでも、車速Ｖが上がるにつれて転舵角δが小さくなるように設定される。一方、車速Ｖが設定車速Ｖ０未満で、かつ、操舵角θが設定舵角θ０を超える走行域では、車速Ｖが変化してもギヤ比が一定であるため、図４（ｂ）に示すように、操舵角θが増大するにつれて基準ギヤ比（θ／δ）が小さくなり、同じ車速Ｖでも、操舵角θが上がるにつれて二次関数的に転舵角δが増大するように設定される。それ以外の走行域では、車速Ｖと操舵角θの一方で決めたギヤ比を他方で補正するというように、車速Ｖと操舵角θの両方に対応して基準ギヤ比（θ／δ）が設定される。
【００２６】
ステップＳ３０３では、現在よりもギヤ比が低く設定されていた状態で、かつ、その状態が定常的に続いていた状況のギヤ比を低ゲインギヤ比［θ／δ］として算出し、これを保持し、ステップＳ３０４へ移行する。
例えば、ドライバが交差点を右折もしくは左折した場合は、その交差点に進入する前に道路をほぼ一定速で、かつ操舵角の変化も少なく走行していた状態でのギヤ比を低ゲインギヤ比［θ／δ］として算出し、保持する。
【００２７】
ステップＳ３０４では、ドライバが車両の軌道修正操舵や障害物回避操舵を行っているかどうかを判定し、ＹＥＳの場合はステップＳ３０５へ移行し、ＮＯの場合はステップＳ３０７へ移行する。
【００２８】
このステップＳ３０４では、下記の何れか一つの条件に該当した場合には、ドライバが車両の軌道修正操舵や障害物回避操舵を行っていると判定する。
▲１▼ステアリングホイール１の操舵角θが周期的な動作を表し、その周期・振幅・継続時間が各々所定値以上で、かつ、車両が直進状態となる前記ステアリングホイール１の中立位置を含むような場合には、ドライバが車両の軌道修正操舵を行っていると判定する。
▲２▼車速Ｖと操舵角θと車両の運動モデルを用いて推定される推定ヨーレートψ＃’と、計測された実ヨーレートψ’との差が所定値以上となった場合には、ドライバが車両の軌道修正操舵を行っていると判定する。
▲３▼計測された操舵角θに基づいて操舵角加速度θ’を算出し（操舵角加速度算出手段）、操舵角加速度θ’が所定値以上となった場合、ドライバが障害物回避操舵を行っていると判定する。
▲４▼車速Ｖと操舵角θと車両の運動モデルを用いて推定ヨー角加速度ψ＃’’を算出し（推定ヨー角加速度算出手段）、推定ヨー角加速度ψ＃’’が所定値以上となった場合、ドライバが障害物回避操舵を行っていると判定する。
▲５▼ヨーレートセンサ１２からのヨーレート計測値に基づいてヨー角加速度ψ’’を算出し（ヨー角加速度算出手段）、ヨー角加速度ψ’’が所定値以上となった場合、ドライバが障害物回避操舵を行っていると判定する。
【００２９】
ステップＳ３０５では、ステップＳ３０４においてドライバが軌道修正操舵や障害物回避操舵を行っていると判定された場合、操舵角θのみに応じて変化するように算出される低車速域では、操舵角θの中立位置ギヤ比（図４（ｂ）参照）に変更し、ギヤ比が車速Ｖのみ、あるいは、車速Ｖと操舵角θに応じて変化するように算出される走行域では、ステップＳ３０３において算出・保持したギヤ比に変更する。つまり、設定ギヤ比θ／δとして、基準ギヤ比（θ／δ）よりもゲインの低い低ゲインギヤ比［θ／δ］に変更して適用し、ステップＳ３０６へ移行する。
【００３０】
ステップＳ３０６では、ステップＳ３０４においてドライバが軌道修正操舵や障害物回避操舵を行っていないと判定された場合、ステップＳ３０２において算出した基準ギヤ比（θ／δ）を設定ギヤ比θ／δとして適用し、ステップＳ３０７へ移行する。
【００３１】
ステップＳ３０７では、設定ギヤ比θ／δが低ゲインギヤ比［θ／δ］から基準ギヤ比（θ／δ）に変更されることによってステアリングホイール１の中立位置と操向輪５，５の直進とが合うように目標転舵角δ＊を徐々に修正し、ステップＳ３０１へ戻る。
【００３２】
［ギヤ比設定作用］
まず、ドライバが軌道修正操舵や障害物回避操舵等を行っていない通常操舵時には、図３のフローチャートにおいて、ステップＳ３０１→ステップＳ３０２→ステップＳ３０３→ステップＳ３０４→ステップＳ３０６へと進む流れとなり、ステップＳ３０６では、ステップＳ３０２において車速Ｖと操舵角θに基づいて算出した基準ギヤ比（θ／δ）が設定ギヤ比θ／δとして適用される。
【００３３】
よって、車速Ｖに対しては、低車速域では操舵応答ゲインの高いギヤ比で、車速Ｖが上昇するにつれて操舵応答ゲインが低くなるギヤ比に設定され、かつ、操舵角θに対して小操舵角域では操舵応答ゲインの低いギヤ比で、操舵角θが大きくなるに従って操舵応答ゲインが高くなるギヤ比に設定されるというように、車速Ｖおよび操舵角θに応じ、ドライバにとって最適な操舵応答を得ることができる。
【００３４】
次に、ドライバが通常操舵から車両の軌道修正操舵や障害物回避操舵等を行った場合には、図３のフローチャートにおいて、ステップＳ３０１→ステップＳ３０２→ステップＳ３０３→ステップＳ３０４→ステップＳ３０５へと進む流れとなり、ステップＳ３０５では、低ゲインギヤ比［θ／δ］（中立位置ギヤ比、あるいは、ステップＳ３０３において算出・保持したギヤ比）が設定ギヤ比θ／δとして適用される。
【００３５】
よって、車両の軌道修正操舵や障害物回避操舵等、ドライバが比較的急峻な操舵を行ったとき、設定ギヤ比θ／δが高ゲインのギヤ比から低ゲインのギヤ比に変更されることで、ドライバの入力に対する車両挙動の応答性が緩やかになり、速い操舵入力でも車両挙動を安定性を増す方向に制御しやすくなる。ちなみに、ドライバが比較的急峻な操舵を行っても、設定ギヤ比を高ゲインのまま維持すれば、速い操舵入力に対し応答良く車両挙動が発生し、ドライバが挙動修正しようとしても車両挙動の変化に追従できず、不安定な車両挙動を招くおそれがある。
【００３６】
さらに、ドライバが車両の軌道修正操舵や障害物回避操舵等を行っている間は、ステアリングホイール１の中立位置と操向輪５，５の直進がずれても修正を加えないが、ドライバが車両の軌道修正操舵や障害物回避操舵等が終了した時点で、設定ギヤ比θ／δを低ゲインギヤ比［θ／δ］から基準ギヤ比（θ／δ）に変更した場合には、ステップＳ３０７において、ステアリングホイール１の中立位置と操向輪５，５の直進が合うように目標転舵角δ＊が徐々に修正される。
【００３７】
よって、例えば、ステアリングホイール１が中立位置にない操舵途中においてギヤ比の変更がなされることで、ステアリングホイール１の中立位置と操向輪５，５の直進が合わなくなる状況となっていても、設定ギヤ比θ／δを基準ギヤ比（θ／δ）に戻したときに、直進時のステアリングホイール１の操作性を損なわせることがない。
【００３８】
次に、効果を説明する。
第１実施例の車両用操舵制御装置にあっては、下記に列挙する効果を得ることができる。
【００３９】
（１）操向輪５，５のステアリングギヤ７に機械的に連結されていないステアリングホイール１と、該ステアリングホイール１に操舵反力を与える操舵反力アクチュエータ２と、前記ステアリングギヤ７にその出力を加える転舵アクチュエータ８と、ステアリングホイール１の操舵角θと操向輪５，５の転舵角δとの比であるギヤ比θ／δを設定するギヤ比設定手段と、少なくとも設定されたギヤ比θ／δに基づいて算出された目標転舵角δ＊となるように転舵アクチュエータ８を駆動する転舵制御手段と、を備えた車両用操舵制御装置において、前記ギヤ比設定手段は、ドライバが比較的急峻な操舵を行っていると判定された場合、前記ギヤ比θ／δを、ステアリングホイール１への操舵入力に対して、操向輪５，５の転舵出力が小さくなるように変更するため、ドライバが比較的急峻な操舵を行ったとき、ドライバの入力に対する車両挙動の応答性を緩やかにして、速い操舵入力でも車両挙動を制御しやすくすることができる。
【００４０】
（２）前記ギヤ比設定手段は、車両の走行状態や操舵角θに応じて最適な基準ギヤ比（θ／δ）を算出する基準ギヤ比算出部１０ａと、基準ギヤ比（θ／δ）よりも操舵入力に対し転舵出力が小さくなる低ゲインギヤ比［θ／δ］を算出または保持する低ゲインギヤ比算出・保持部１０ｂと、ドライバが車両の軌道修正操舵や障害物回避操舵を行っているか否かを判定するドライバ急操舵判定部１０ｃと、該ドライバ急操舵判定部１０ｃによりドライバが車両の軌道修正操舵や障害物回避操舵を行っていると判定された場合、設定ギヤ比θ／δを基準ギヤ比（θ／δ）から低ゲインギヤ比［θ／δ］へ変更する設定ギヤ比変更部１０ｄと、を有するため、ドライバが車両の軌道修正操舵や障害物回避操舵を行ったとき、ドライバの入力に対する車両挙動の応答性を緩やかにして、速い操舵入力でも車両挙動を制御しやすくすることができる。
【００４１】
（３）ステアリングホイール１の操舵角θが周期的な動作を表し、その周期・振幅・継続時間が各々所定値以上で、かつ、車両が直進状態となる前記ステアリングホイール１の中立位置を含むような場合には、ドライバが車両の軌道修正操舵を行っていると判定するため、操舵角θの変化状況を監視することで精度良くドライバの軌道修正操舵を判定することができる。
【００４２】
（４）車速Ｖと操舵角θと車両の運動モデルを用いて推定される推定ヨーレートψ＃’と、計測された実ヨーレートψ’との差が所定値以上となった場合には、ドライバが車両の軌道修正操舵を行っていると判定するため、推定ヨーレートψ＃’と実ヨーレートψ’との偏差を用いて精度良くドライバの軌道修正操舵を判定することができる。
【００４３】
（５）計測された操舵角θに基づいて操舵角加速度θ’を算出し、操舵角加速度θ’が所定値以上となった場合、ドライバが障害物回避操舵を行っていると判定するため、算出される操舵角加速度θ’を用いて精度良くドライバの障害物回避操舵を判定することができる。
【００４４】
（６）車速Ｖと操舵角θと車両の運動モデルを用いて推定ヨー角加速度ψ＃’’を算出し、推定ヨー角加速度ψ＃’’が所定値以上となった場合、ドライバが障害物回避操舵を行っていると判定するため、推定ヨー角加速度ψ＃’’を用いて精度良くドライバの障害物回避操舵を判定することができる。
【００４５】
（７）ヨーレートセンサ１２からのヨーレート計測値に基づいてヨー角加速度ψ’’を算出し、ヨー角加速度ψ’’が所定値以上となった場合、ドライバが障害物回避操舵を行っていると判定するため、算出されるヨー角加速度ψ’’を用いて精度良くドライバの障害物回避操舵を判定することができる。
【００４６】
（８）設定ギヤ比変更部１０ｄは、ドライバ急操舵判定部１０ｃによりドライバが比較的急峻な操舵を行っていると判定された場合、中立位置ギヤ比に変更するため、ギヤ比が操舵角θのみに応じて変化するように算出される走行域において、操舵角θに対し最も操舵応答ゲインが低くなり、ドライバが容易に車両挙動を安定とする操舵を行うことができる。
【００４７】
（９）設定ギヤ比変更部１０ｄは、ドライバ急操舵判定部１０ｃによりドライバが比較的急峻な操舵を行っていると判定された場合、ドライバ急操舵判定時点から所定時間内の過去で、車速変化および操舵角変化が所定値以内となる状態において適用されていた低ゲインギヤ比［θ／δ］に変更するため、ギヤ比が車速Ｖのみ、あるいは、車速Ｖと操舵角θに応じて変化するように算出される走行域において、ドライバが体感的に慣れていたギヤ比にて車両挙動を安定とする操舵を行うことができる。
【００４８】
（１０）設定ギヤ比変更部１０ｄは、ドライバ急操舵判定部１０ｃによりドライバが比較的急峻な操舵を行っていると判定と同時に設定ギヤ比θ／δを基準ギヤ比（θ／δ）から低ゲインギヤ比［θ／δ］に変更し、ドライバの比較的急峻な操舵が終了したとの判定と同時に設定ギヤ比θ／δをその時点での走行状態に応じた基準ギヤ比（θ／δ）に変更するため、ドライバ急操舵判定に対し応答良くギヤ比の変更を行うことができる。
【００４９】
（１１）目標転舵角算出部１０ｆは、ドライバ急操舵判定部１０ｃによりドライバの比較的急峻な操舵が終了したとの判定した場合、設定ギヤ比θ／δを基準ギヤ比（θ／δ）に変更した後、変更後の基準ギヤ比（θ／δ）においてステアリングホイール１の中立位置が操向輪の直進位置と合うように目標転舵角δ＊を徐々に修正するため、ギヤ比変更により、ステアリングホイール１の中立位置と操向輪５，５の直進が合わなくなる状況となっていても、設定ギヤ比θ／δを基準ギヤ比（θ／δ）に戻したときに、直進時のステアリングホイール１の操作性を損なわせることを防止できる。
【００５０】
（第２実施例）
第２実施例は、低ゲインギヤ比から基準ギヤ比に戻すとき、ドライバ急操舵判定時の基準ギヤ比に戻すようにした例である。なお、構成については、第１実施例と同様であるので、図示並びに説明を省略する。
【００５１】
次に、作用を説明する。
【００５２】
［ギヤ比設定及び転舵制御処理］
図５は第２実施例装置の舵角コントローラ１０にて実行されるギヤ比設定及び転舵制御処理の流れを示すフローチャートで、以下、各ステップについて説明する。なお、ステップＳ３００〜ステップＳ３０５は、第１実施例の図３の対応するステップと同様であるので説明を省略する。
【００５３】
ステップＳ３０８では、ステップＳ３０４においてドライバが軌道修正操舵や障害物回避操舵を行っていると判定された場合、この判定された起動周期においてステップＳ３０２において算出された基準ギヤ比（θ／δ）を保存したかどうかが判断され、ＹＥＳの場合はステップＳ３０５へ移行し、ＮＯの場合はステップＳ３０９へ移行する。
【００５４】
ステップＳ３０９では、ステップＳ３０２において算出された基準ギヤ比（θ／δ）を保存し、ステップＳ３０５へ移行する。
【００５５】
ステップＳ３１０では、ステップＳ３０４においてドライバが軌道修正操舵や障害物回避操舵を行っていないと判定された場合、判定変更直後か否かが判断され、ＹＥＳの場合はステップＳ３１１へ移行し、ＮＯの場合はステップＳ３０６へ移行する。
【００５６】
ステップＳ３１１では、ステップＳ３０９において保存されたドライバ急操舵判定時における基準ギヤ比（θ／δ）を設定ギヤ比θ／δとして適用し、ステップＳ３０７へ移行する。
【００５７】
［ギヤ比設定作用］
まず、ドライバが軌道修正操舵や障害物回避操舵等を行っていない通常操舵時には、図５のフローチャートにおいて、ステップＳ３０１→ステップＳ３０２→ステップＳ３０３→ステップＳ３０４→ステップＳ３１０→ステップＳ３０６へと進む流れとなり、ステップＳ３０６では、ステップＳ３０２において車速Ｖと操舵角θに基づいて算出した基準ギヤ比（θ／δ）が設定ギヤ比θ／δとして適用される。
【００５８】
次に、ドライバが通常操舵から車両の軌道修正操舵や障害物回避操舵等を行った場合には、図５のフローチャートにおいて、ステップＳ３０１→ステップＳ３０２→ステップＳ３０３→ステップＳ３０４→ステップＳ３０８→ステップＳ３０９→ステップＳ３０５へと進む流れとなり、ステップＳ３０９において、判断時にステップＳ３０２において算出された基準ギヤ比（θ／δ）を保存し、ステップＳ３０５において、低ゲインギヤ比［θ／δ］（中立位置ギヤ比、あるいは、ステップＳ３０３において算出・保持したギヤ比）が設定ギヤ比θ／δとして適用される。次の起動周期からは、図５のフローチャートにおいて、ステップＳ３０１→ステップＳ３０２→ステップＳ３０３→ステップＳ３０４→ステップＳ３０８→ステップＳ３０５へと進む流れが繰り返される。
【００５９】
さらに、ドライバの軌道修正操舵や障害物回避操舵等が終了した場合には、図５のフローチャートにおいて、ステップＳ３０１→ステップＳ３０２→ステップＳ３０３→ステップＳ３０４→ステップＳ３１０→ステップＳ３１１→ステップＳ３０７へと進む流れとなり、ステップＳ３１１において、ステップＳ３０９において、保存されたドライバ急操舵判定時の基準ギヤ比（θ／δ）に変更され、ステップＳ３０７において、ステアリングホイール１の中立位置と操向輪５，５の直進が合うように目標転舵角δ＊が徐々に修正される。その後、所定時間待って、もしくは、保持したギヤ比とステップＳ３０２で算出される基準ギヤ比（θ／δ）がほぼ一致すると、ステップＳ３０６からステップＳ３０６へ進む通常の流れとなる。
【００６０】
次に、効果を説明する。
この第２実施例の車両用操舵制御装置にあっては、第１実施例の（１）〜（９）の効果に加え、下記の効果を得ることができる。
【００６１】
（１２）設定ギヤ比変更部１０ｄは、ドライバ急操舵判定部１０ｃによりドライバが比較的急峻な操舵を行っていると判定した時点で設定ギヤ比θ／δを基準ギヤ比（θ／δ）から低ゲインギヤ比［θ／δ］に変更し、ドライバの比較的急峻な操舵が終了したとの判定時点で設定ギヤ比θ／δをドライバ急操舵判定時におけるギヤ比に戻すため、ドライバ急操舵を行う直前でドライバが体感的に慣れていたギヤ比に変更されることで、ドライバにとって違和感の少ないギヤ比に変更することができる。
【００６２】
（第３実施例）
第３実施例は、設定ギヤ比の変更タイミングを、操舵角が中立位置となるタイミングで行うようにした例である。なお、構成については、第１実施例と同様であるので、図示並びに説明を省略する。
【００６３】
次に、作用を説明する。
【００６４】
［ギヤ比設定及び転舵制御処理］
図６は第３実施例装置の舵角コントローラ１０にて実行されるギヤ比設定及び転舵制御処理の流れを示すフローチャートで、以下、各ステップについて説明する。なお、ステップＳ３００〜ステップＳ３０５は、第１実施例の図３の対応するステップと同様であるので説明を省略する。
【００６５】
ステップＳ３１２では、ステップＳ３０４においてドライバが軌道修正操舵や障害物回避操舵を行っていると判定された場合、操舵角センサ３からその時の操舵角θを入力し、ステップＳ３１３へ移行する。
【００６６】
ステップＳ３１３では、ステップＳ３１２において入力された操舵角θに基づいて、中立位置か、もしくは、中立位置を経験したか否かが判断され、ＹＥＳの場合はステップＳ３０５へ移行し、ＮＯの場合はステップＳ３０１へ移行する。
【００６７】
ステップＳ３１４では、ステップＳ３０４においてドライバが軌道修正操舵や障害物回避操舵を行っていないと判定された場合、操舵角センサ３からその時の操舵角θを入力し、ステップＳ３１５へ移行する。
【００６８】
ステップＳ３１５では、ステップＳ３１４において入力された操舵角θに基づいて、中立位置か、もしくは、中立位置を経験したか否かが判断され、ＹＥＳの場合はステップＳ３０６へ移行し、ＮＯの場合はステップＳ３０１へ移行する。
【００６９】
［ギヤ比設定作用］
まず、ドライバが軌道修正操舵や障害物回避操舵等を行っていない通常操舵時で、操舵中立位置を経験している場合には、図６のフローチャートにおいて、ステップＳ３０１→ステップＳ３０２→ステップＳ３０３→ステップＳ３０４→ステップＳ３１４→ステップＳ３１５→ステップＳ３０６へと進む流れとなり、ステップＳ３０６では、ステップＳ３０２において車速Ｖと操舵角θに基づいて算出した基準ギヤ比（θ／δ）が設定ギヤ比θ／δとして適用される。
【００７０】
次に、ドライバが通常操舵から車両の軌道修正操舵や障害物回避操舵等を行った場合には、図６のフローチャートにおいて、ステップＳ３０１→ステップＳ３０２→ステップＳ３０３→ステップＳ３０４→ステップＳ３１２→ステップＳ３１３へと進み、急操舵判定直後で操舵中立位置になっていないと、ステップＳ３１３からステップＳ３０１へと戻る。そして、急操舵判定後で操舵中立位置になると、ステップＳ３１３からステップ３０５へと進む流れとなり、ステップＳ３０５において、低ゲインギヤ比［θ／δ］（中立位置ギヤ比、あるいは、ステップＳ３０３において算出・保持したギヤ比）が設定ギヤ比θ／δとして適用される。
【００７１】
さらに、ドライバの軌道修正操舵や障害物回避操舵等が終了した場合には、図６のフローチャートにおいて、ステップＳ３０１→ステップＳ３０２→ステップＳ３０３→ステップＳ３０４→ステップＳ３１４→ステップＳ３１５へと進み、急操舵判定終了直後で操舵中立位置となっていないと、ステップＳ３１５からステップＳ３０１へと戻る。そして、急操舵判定終了後で操舵中立位置になると、ステップＳ３１５からステップ３０６へと進む流れとなり、ステップＳ３０６において、ステップＳ３０２で算出される基準ギヤ比（θ／δ）に変更される。
【００７２】
次に、効果を説明する。
この第３実施例の車両用操舵制御装置にあっては、第１実施例の（１）〜（９）の効果に加え、下記の効果を得ることができる。
【００７３】
（１３）設定ギヤ比変更部１０ｄは、ドライバ急操舵判定部１０ｃによりドライバが比較的急峻な操舵を行っていると判定された場合、該判定がなされた後、最初に操舵角中立位置に到達した時点で設定ギヤ比θ／δを基準ギヤ比（θ／δ）から低ゲインギヤ比［θ／δ］に変更し、ドライバが比較的急峻な操舵を行っているとの判定が終了した場合、該終了判定がなされた後、最初に操舵角中立位置に到達した時点で設定ギヤ比θ／δを低ゲインギヤ比［θ／δ］から基準ギヤ比（θ／δ）に変更するため、操舵中立位置と車両の直進とがずれることなく、ギヤ比を変更することができる。すなわち、この第３実施例では、第１実施例や第２実施例のように、目標転舵角δ＊の修正による中立位置調整を必要としない。
【００７４】
以上、本発明の車両用操舵制御装置を第１実施例〜第３実施例に基づき説明してきたが、具体的な構成については、これらの実施例に限られるものではなく、特許請求の範囲の各請求項に係る発明の要旨を逸脱しない限り、設計の変更や追加等は許容される。
【００７５】
例えば、実施例では、ドライバ急操舵判定部において、車両の軌道修正操舵と障害物回避操舵を判定する例を示したが、ドライバが比較的急峻な操舵を行っているか否かを判定するものであれば、実施例にて記載した判定以外の判定による例としても良い。
【００７６】
実施例では、低ゲインギヤ比として、中立位置ギヤ比と過去の安定走行時ギヤ比とを用いる例を示したが、予め決めた固定値による低ゲインギヤ比に変更するようにしても良いし、また、ドライバ急操舵判定部における急操舵の判定度合いに応じた可変値による低ゲインギヤ比に変更するようにしても良い。
【図面の簡単な説明】
【図１】第１実施例の車両用操舵制御装置を示す全体システム図である。
【図２】第１実施例装置の舵角制御系を示すブロック図である。
【図３】第１実施例装置の舵角コントローラにて実行されるギヤ比設定及び転舵制御処理の流れを示すフローチャートである。
【図４】第１実施例の車両用操舵制御装置における車速に対するギヤ比特性及び操舵角に対するギヤ比特性を示す図である。
【図５】第２実施例装置の舵角コントローラにて実行されるギヤ比設定及び転舵制御処理の流れを示すフローチャートである。
【図６】第３実施例装置の舵角コントローラにて実行されるギヤ比設定及び転舵制御処理の流れを示すフローチャートである。
【符号の説明】
１  ステアリングホイール
２  操舵反力アクチュエータ
３  トルクセンサ
４  操舵角センサ
５  操向輪
６  伝達部
７  ステアリングギア（転舵装置）
８  転舵アクチュエータ
９  転舵角センサ
１０  舵角コントローラ（転舵制御手段）
１０ａ  基準ギヤ比算出部
１０ｂ  低ゲインギヤ比算出・保持部
１０ｃ  ドライバ急操舵判定部
１０ｄ  設定ギヤ比変更部
１０ｅ  操舵反力算出部
１０ｆ  目標転舵角算出部
１１  車速センサ
１２  ヨーレートセンサ
【図１】
2004306727.tif 000003
【図２】
2004306727.tif 000004
【図３】
2004306727.tif 000005
【図４】
2004306727.tif 000006
【図５】
2004306727.tif 000007
【図６】
2004306727.tif 000008